(57)【特許請求の範囲】
【請求項１】
ＬＥＤモジュールと、
交流電源と接続し前記ＬＥＤモジュールに直流電流を供給する点灯回路と、
前記点灯回路とは別に、前記ＬＥＤモジュールに直流電流を供給するバッテリと、
前記バッテリを、急速充電と補充電のいずれかで充電する充電回路と、
発光素子と、
前記充電回路と前記発光素子を制御し、前記充電回路が前記バッテリを充電しているか否かに応じて前記発光素子の点灯状態を制御する制御回路と、
を備え、
前記制御回路は、前記充電回路に前記急速充電をさせるとき前記発光素子を第１点灯状態で点灯させ、前記充電回路に前記補充電をさせるとき前記発光素子を前記第１点灯状態よりも消費電力の少ない第２点灯状態で点灯させ、前記急速充電の経過時間が長くなるほど前記第１点灯状態の明るさを低下させる照明装置。
【請求項２】
前記制御回路は、前記急速充電中に前記発光素子の明るさの増減を繰り返す明暗制御を行うものであり、
前記第１点灯状態は、前記急速充電の経過時間が長くなるほど前記明暗制御における相対的に明るい期間を一定としつつ前記明暗制御における相対的に暗い期間を徐々に長くするものである請求項１に記載の照明装置。
【発明の詳細な説明】
【技術分野】
【０００１】
本発明は、照明装置に関する。
【背景技術】
【０００２】
従来、例えば、特開平５−８３８７３号公報に開示されているように、バッテリの充電状態を表示するために充電表示装置を設けたバッテリ充電装置が知られている。この充電表示装置は、具体的には発光ダイオードとされる。
【０００３】
この従来技術では、トリクル充電と急速充電の双方の充電方法の実施中において、充電表示装置が充電中を示す点灯を行うものである。これにより、バッテリの充電が行われていることを報知することができる。なお、トリクル充電とは、バッテリの自然放電を補うために継続的に微小電流での充電を行うものである。
【０００４】
ところで、上記公報では、急速充電時に電源電圧が低下することで、充電表示装置の電流が減少するという問題点を指摘している。この問題点を解決するために、上記従来のバッテリ充電装置は、急速充電からトリクル充電に切り替えた際に充電表示装置のモニタランプの明るさが変化しないようにするための回路を備えている。
【０００５】
これにより充電表示装置の明るさが変化しないようにして、トリクル充電および急速充電の両方において充電表示装置（具体的には、発光ダイオード等のモニタランプ）の明るさを十分に確保している。このような構成により、充電中であることを確実に報知することを図っている。
【先行技術文献】
【特許文献】
【０００６】
【特許文献１】特開平５−８３８７３号公報
【発明の概要】
【発明が解決しようとする課題】
【０００７】
上記従来の技術にかかるバッテリ充電装置は、充電表示装置のモニタランプの明るさが変化しないようにするものである。したがって、上記従来の技術にかかるバッテリ充電装置では、充電表示装置の明るさが充電方法にかかわらず一定に維持される。
【０００８】
ところで、バッテリ充電方式は、急速充電と通常充電とに大別することができる。通常充電とは急速充電以外の充電をいい、その１つには例えばトリクル充電などの「補充電」がある。
【０００９】
急速充電とそれ以外の充電のいずれの方法でバッテリが充電されているのかを、充電装置外部のユーザに知らせたい場合がある。現在適用されている充電方法の種類を知ることができれば、例えば、バッテリの充電量の概略を知ることができる等の利点があるからである。
【００１０】
この点、上記公報にかかる技術の要旨は、充電中に充電表示装置の発光素子が一定の明るさで光ることを確保するというものに過ぎない。したがって、単に、バッテリ充電中であるという事実を確実に報知する、ということを念頭に置くにとどまるものであった。
【００１１】
本発明は、上述のような課題を解決するためになされたもので、バッテリ充電の際に、発光素子を利用して、現時点でのバッテリ充電方法の種類を正確に報知することのできる照明装置を提供することを目的とする。
【課題を解決するための手段】
【００１４】
本願発明にかかる照明装置は、
ＬＥＤモジュールと、
交流電源と接続し前記ＬＥＤモジュールに直流電流を供給する点灯回路と、
前記点灯回路とは別に、前記ＬＥＤモジュールに直流電流を供給するバッテリと、
前記バッテリを、急速充電と補充電のいずれかで充電する充電回路と、
発光素子と、
前記充電回路と前記発光素子を制御し、前記充電回路が前記バッテリを充電しているか否かに応じて前記発光素子の点灯状態を制御する制御回路と、
を備え、
前記制御回路は、前記充電回路に前記急速充電をさせるとき前記発光素子を第１点灯状態で点灯させ、前記充電回路に前記補充電をさせるとき前記発光素子を前記第１点灯状態よりも消費電力の少ない第２点灯状態で点灯させ、前記急速充電の経過時間が長くなるほど前記第１点灯状態の明るさを低下させる。
【発明の効果】
【００１６】
本発明によれば、充電方法が異なる場合には、充電表示用の発光素子を点灯させる状態を、能動的に変更させる制御を行うことができるので、バッテリ充電中の充電方法の種類を正確に報知することができる。また、報知の際の消費電力を抑制することもできる。
【図面の簡単な説明】
【００１８】
【図１】本発明の実施の形態１にかかる点灯装置および照明装置の構成を示す回路図である。
【図２】本発明の実施の形態１にかかる点灯装置の制御回路が実行するルーチンのフローチャートである。
【図３】本発明の実施の形態１にかかる、バッテリを充電するときの充電電流と、その充電電流における充電モニタ用発光ダイオードの明るさとの関係を示すタイムチャートである。
【図４】本発明の実施の形態２にかかる、バッテリを充電するときの充電電流と、その充電電流における充電モニタ用発光ダイオードの明るさとの関係を示すタイムチャートである。
【発明を実施するための形態】
【００１９】
実施の形態１．
［実施の形態１の装置の構成］
図１は、本発明の実施の形態１にかかる点灯装置１００および照明装置１０００の構成を示す回路図である。照明装置１０００は、点灯装置１００と、この点灯装置１００に接続されるＬＥＤモジュール２００と、同じく点灯装置１００に接続される点検モニタ３００と、非常用点灯回路１４０に電力を供給するバッテリ４００を備える。
【００２０】
点灯装置１００は、整流回路ＤＢと、常用点灯回路１１０と、制御電源生成回路１２０と、充電回路１３０と、非常用点灯回路１４０と、ＯＲ回路１５０と、制御回路１６０と、点検モニタ３００を備えている。整流回路ＤＢは、商用電源ＡＣからの交流を直流に変換する。
【００２１】
常用点灯回路１１０は、整流回路ＤＢの出力に接続され、ＬＥＤモジュール２００に電力を供給する。
【００２２】
具体的には、常用点灯回路１１０は、トランスＬ１を含むいわゆるフライバックコンバータを備えている。具体的には、トランスＬ１の一次巻線側には、抵抗Ｒ１、コンデンサＣ１、およびダイオードＤ１が設けられ、トランスＬ１の一端はインテリジェントパワーデバイス１１に接続している。
【００２３】
トランスＬ１の二次巻線側には、ダイオードＤ４、コンデンサＣ２、ＭＯＳ電界効果トランジスタＱ１、抵抗Ｒ２、Ｒ６、デジタルトランジスタＱ２、抵抗Ｒ４、Ｒ５，電流検出回路１２、フォトカプラＰＣ、およびＭＯＳ電界効果トランジスタＱ３が設けられている。ＬＥＤモジュール２００の電流は、抵抗Ｒ４を介して電流検出回路１２で検出され、フォトカプラＰＣを介して、インテリジェントパワーデバイス１１に与えられる。
【００２４】
なお、本実施の形態における常用点灯回路１１０は、フライバックコンバータに限られるものではなく、他の回路構成、たとえばバックコンバータやプッシュプル回路などであってもよい。
【００２５】
制御電源生成回路１２０は、直流に整流するダイオードＤ５と、コンデンサＣ３からなる。制御電源生成回路１２０は、トランスＬ１の二次巻線の出力電圧を電源として動作し、制御電源Ｖｃｃを出力する。
【００２６】
充電回路１３０は、バッテリ４００を充電する回路である。点灯装置１００は、バッテリ充電端子１０４ａ、１０４ｂを備えている。バッテリ充電端子１０４ａは、充電回路１３０とバッテリ４００の一端とを接続する。バッテリ充電端子１０４ｂは、バッテリ４００の他端をグランドに接続する。充電回路１３０は、制御電源Ｖｃｃを電源として動作して、バッテリ４００を充電する。
【００２７】
非常用点灯回路１４０は、停電時などの所定環境下において常用点灯回路１１０の代役としてバッテリ４００からの電力で動作する点灯回路である。非常用点灯回路１４０は、ＯＲ回路１５０を介してＬＥＤモジュール２００に電力を供給する。ここでいう「所定環境下」とは、本実施の形態では、具体的には、「交流が整流回路ＤＢに入力されないとき」または「バッテリ４００の点検モードのとき」である。これらの場合に非常用点灯回路１４０はバッテリ４００を電源として動作してＬＥＤモジュール２００に電力を供給する。
【００２８】
ＯＲ回路１５０は、ダイオードＤ６、Ｄ７からなり、常用点灯回路１１０の出力と非常用点灯回路１４０の出力の論理和を、ＬＥＤモジュール２００に入力する。
【００２９】
制御回路（ＣＰＵ）１６０は、常用点灯回路１１０、充電回路１３０、非常用点灯回路１４０、および点検モニタ３００と接続しており、これらを制御する。
【００３０】
制御回路１６０は、制御電源Ｖｃｃまたはバッテリ電圧Ｖｂａｔで動作するマイクロコンピュータからなる。制御回路１６０は、非常用点灯回路１４０を制御するとともに、バッテリ４００の充電状態やＬＥＤモジュール２００の状態（ＬＥＤの故障など）を示す状態信号を点検モニタ３００に出力、表示させる。
【００３１】
制御回路１６０は、常用点灯回路１１０が動作しているときは交流電源が供給されていると判定し、非常用点灯回路１４０の動作を停止させ且つ充電回路１３０を動作させてバッテリ４００を充電する。一方、制御回路１６０は、常用点灯回路１１０が動作していないときは交流電源が供給されていないと判定し、充電回路１３０の動作を停止させてバッテリ４００の充電を停止して、非常用点灯回路１４０を動作させる。
【００３２】
また、バッテリ４００が満充電されていないとき、たとえば、満充電時のエネルギーの８０％以下であるときには、制御回路１６０は、バッテリ４００を急速充電するように充電回路１３０を制御する。一方、満充電時のエネルギーの８０％を超えるときは、制御回路１６０は省エネモードで動作する。省エネモードでは、トリクル充電やパルス充電などによりバッテリ４００を補充電するように充電回路１３０が制御される。
【００３３】
点検モニタ３００は、制御回路１６０に接続され、バッテリ４００の充電状態やＬＥＤモジュールの状態に応じてその点灯状態が可変されることで、それらの状態を報知することができる。
【００３４】
具体的には、点検モニタ３００は、抵抗Ｒａ、Ｒｂ、Ｒｃ、充電モニタ用発光ダイオードＬａ、ランプ異常モニタ用発光ダイオードＬｂ、および点検異常モニタ用発光ダイオードＬｃからなる。図１に示すように、抵抗Ｒａ、Ｒｂ、Ｒｃと充電モニタ用発光ダイオードＬａ、ランプ異常モニタ用発光ダイオードＬｂ、および点検異常モニタ用発光ダイオードＬｃはそれぞれ直列接続しており、その３つの直列回路が並列に設けられている。
【００３５】
点灯装置１００は、この充電モニタ用発光ダイオードＬａ、ランプ異常モニタ用発光ダイオードＬｂ、および点検異常モニタ用発光ダイオードＬｃそれぞれのカソードと接続する接続端子１０２ａ、１０２ｂ、１０２ｃを備えている。また、点灯装置１００は、抵抗Ｒａ、Ｒｂ、Ｒｃをそれぞれ介して充電モニタ用発光ダイオードＬａ、ランプ異常モニタ用発光ダイオードＬｂ、および点検異常モニタ用発光ダイオードＬｃのアノードを制御電源Ｖｃｃに電気的に接続するための電源端子１０２ｄを備えている。点検モニタ３００は、この接続端子１０２ａ、１０２ｂ、１０２ｃおよび電源端子１０２ｄと接続される。
【００３６】
点検モニタ３００は制御電源Ｖｃｃの電力で動作し、制御回路１６０によってその点灯状態を制御される。具体的には、制御回路１６０は、充電モニタ用発光ダイオードＬａを点灯状態または消灯状態に制御することができる。
【００３７】
充電モニタ用発光ダイオードＬａの点灯状態には、具体的には、１００％点灯（全光点灯）と、調光点灯（７０％点灯、５０％点灯など）とが含まれる。また、視認できる程度の感覚で点灯、消灯を繰り返す「点滅」も含まれる。
【００３８】
［実施の形態１にかかる装置の動作］
図２は、本発明の実施の形態１にかかる点灯装置１００の制御回路１６０が実行するルーチンのフローチャートである。
【００３９】
図２のルーチンでは、先ず、制御回路１６０はバッテリ電圧Ｖｂａｔを検出することで、バッテリ４００が接続されているか否かを検出する（ステップＳ１）。
【００４０】
ステップＳ１でバッテリ４００の接続が検出されたときは、次に、バッテリの充電量が所定値以上であるかを判定する（ステップＳ２）。
【００４１】
一方、ステップＳ１でバッテリ４００の接続が検出されないときは、点検モニタ３００の充電モニタ用発光ダイオードＬａを消灯させる（ステップＳ３）。ステップＳ３の後は、処理はステップＳ１に戻る。
【００４２】
ステップ２でバッテリ４００の充電量が所定値以下であると判定されたときは、充電回路１３０がバッテリ４００を急速充電するように、制御回路１６０が充電回路１３０の充電方式を切り替える（ステップＳ４）。
【００４３】
一方、バッテリ４００の充電量が所定値以下でないと判定されたとき（つまり、所定値を超えるとき）は、充電回路１３０がバッテリ４００を補充電するように、制御回路１６０が充電回路１３０の充電方式を切り替える（ステップＳ５）。
【００４４】
これにより、急速充電と補充電のいずれか一方の充電方式で、充電回路１３０がバッテリ４００を充電することになる。
【００４５】
ステップＳ４で急速充電制御に切り替えられた場合には、充電モニタ用発光ダイオードＬａを「第１点灯状態」で点灯させる制御が行われる（ステップＳ７）。その後、ステップ１に戻る。
【００４６】
一方、急速充電する制御をしていない場合（つまり補充電する制御をしている場合）には、充電モニタ用発光ダイオードＬａを「第２点灯状態」で点灯させる制御が行われる（ステップＳ８）。「第１点灯状態」と「第２点灯状態」は、ユーザが視認して区別できる程度に異なる点灯状態である。その後、ステップ１に戻る。
【００４７】
ステップＳ７およびＳ８の処理では、制御回路１６０が、内蔵メモリに記憶した点灯パターンに従って充電モニタ用発光ダイオードＬａの点灯制御を実行する。点灯パターンの詳細は後述する。
【００４８】
このように、制御回路１６０は、急速充電と補充電とに応じて、充電モニタ用発光ダイオードＬａの点灯状態を相違させる。これにより、ユーザに対し、バッテリ４００を急速充電しているか補充電しているかを報知することができる。また、ステップＳ２によりバッテリ４００の充電量を判定しているので、点灯状態によってバッテリ４００の充電量の概略を報知することもできる。
【００４９】
また、制御回路１６０が充電モニタ用発光ダイオードＬａの点灯状態を変えることによって、充電モニタ用発光ダイオードＬａで消費される消費電力を調整することができる。よって、充電モニタ用発光ダイオードＬａの省エネ化を図ることができる。
【００５０】
特に、交流電源が供給されている期間が長くバッテリ４００を補充電している期間が長いケースが一般的である。よって、補充電期間に充電モニタ用発光ダイオードＬａの消費電力を抑えることができれば、累積省エネ効果が高くなる。
【００５１】
［点灯状態のバリエーション］
上述した本実施の形態における「第１点灯状態」および「第２点灯状態」の具体的な内容について以下に説明する。制御回路１６０は、下記に述べる点灯パターンのうち少なくとも１つを内蔵メモリに記憶しており、図２のルーチンにおけるステップＳ７およびステップＳ８の処理に従って点灯パターンの切替を行う。
【００５２】
図３は、本発明の実施の形態１にかかる、バッテリを充電するときの充電電流と、その充電電流における充電モニタ用発光ダイオードＬａの明るさとの関係を示すタイムチャートである。
【００５３】
図３（ａ）は、急速充電期間Ｔ１における充電電流と、補充電における充電電流を示している。図３（ａ）において横軸が時間を示し縦軸が充電電流の大きさを示している。符号Ｔ１は急速充電期間を示し、この期間は「第１点灯状態」で点灯が行われる。符号Ｔ２は補充電期間を示し、この期間は「第２点灯状態」で点灯が行われる。急速充電期間Ｔ１の充電電流の値は、補充電期間Ｔ２の充電電流の値よりも、大きい。
【００５４】
図３（ｂ）〜（ｉ）は、それぞれ、充電モニタ用発光ダイオードＬａの第１〜第８点灯パターンを示している。図３（ｂ）〜（ｉ）のそれぞれにおいて、横軸が時間を示し縦軸が明るさを示している。第１〜第８点灯パターンそれぞれは、急速充電期間Ｔ１に使用すべき第１点灯状態を実現する部分と、補充電期間Ｔ２に使用すべき第２点灯状態を実現する部分と、を有している。
【００５５】
具体的には、図３（ｂ）は第１点灯パターンであり、図３（ｃ）は第２点灯パターンであり、図３（ｄ）は第３点灯パターンであり、図３（ｅ）は第４点灯パターンであり、図３（ｆ）は第５点灯パターンであり、図３（ｇ）は第６点灯パターンであり、図３（ｈ）は第７点灯パターンであり、図３（ｉ）は第８点灯パターンである。
【００５６】
（第１点灯パターン）
図３（ｂ）に示す第１点灯パターンは、第１点灯状態を全光点灯にし、第２点灯状態を調光点灯にするパターンである。このようにすることによって、全光点灯に比べて調光点灯では消費電力が少なくなる。よって、長時間に渡って補充電を行う場合、省エネ効果が得られる。第１点灯パターンによれば、単一の点検モニタ３００にて急速充電の状態を視認でき、急速充電後の省エネモードにて消費電力の低減を図る事ができる。
【００５７】
（第２点灯パターン）
図３（ｃ）に示す第２点灯パターンは、第１点灯状態を全光点灯にし、第２点灯状態を全光点灯と調光点灯を一定間隔で繰り返すパターンである。このようにすることによって、全光点灯に比べて調光点灯では消費電力が少なくなるので、長時間に渡って補充電を行う場合、省エネ効果が得られる。
【００５８】
なお、第２点灯状態は、全光点灯と調光点灯とを一定間隔で繰り返すものに限られない。たとえば乱数発生器等でランダムに定めた間隔など、非周期的に全光点灯と調光点灯とを繰り返すようにしてもよい。また、省エネ効果を高めるには、調光点灯時間を長くするのが望ましいので、調光点灯の時間を長くなるように、全光点灯と調光点灯との比率を設定するのが好ましい。
【００５９】
また、第２点灯パターンにおいて調光点灯に代えて消灯するようにして、全光点灯と消灯とを繰り返してもよい。
【００６０】
第２点灯パターンによれば、点滅させることで点灯パターンを目立たせることができ、調光による視認性の悪化を補うことができる。
【００６１】
（第３点灯パターン）
図３（ｄ）に示す第３点灯パターンは、第１点灯状態を急速充電期間Ｔ１間に応じて全光点灯から徐々に暗くして調光点灯させるようにし、第２点灯状態を調光点灯にするパターンである。調光点灯では、ほぼ一定の明るさとなるように調光率を維持する。このようにすることによって、急速充電期間Ｔ１における消費電力を少なくすることができる。
【００６２】
また、急速充電期間Ｔ１において、充電モニタ用発光ダイオードＬａを徐々に調光点灯させるので、ユーザは、急速充電している時間あるいは急速充電が終わるまでのおおよその時間（目安）がわかる。
【００６３】
また、第３点灯パターンによれば、急速充電の経過を視認できるように明るさを変えることができる。
【００６４】
（第４点灯パターン）
図３（ｅ）に示す第４点灯パターンは、第１点灯状態を全光点灯と調光点灯とを一定間隔で繰り返すようにし、第２点灯状態を調光点灯にするパターンである。このようにすることによって、全光点灯に比べて調光点灯では消費電力が少なくなるので、急速充電期間Ｔ１においても省エネ効果が得られる。またモニタ表示は周囲の明るさで見え方が変わる為、急速充電表示を点滅にし、視認性を上げることができる。
【００６５】
また、第４点灯パターンによれば、点滅により急速充電を表示しているので、急速充電期間Ｔ１においても省エネ効果が得られ、視認性を上げることができる。
【００６６】
（第５点灯パターン）
図３（ｆ）に示す第５点灯パターンは、第４点灯パターンの変形例である。第４点灯パターンの第１点灯状態は、１つの調光点灯時間と１つの全光点灯時間との組み合わせを１周期として、この１周期を複数回繰り返すパターンである。これに対し、第５点灯パターンの第１点灯状態は、２つの調光点灯時間と１つの全光点灯時間とを組み合わせて１周期とし、この１周期を複数回繰り返すものである。
【００６７】
２つの調光点灯時間と１つの全光点灯時間とを組み合わせることによって、バッテリ４００を急速充電しているのか補充電しているのかをユーザが視認しやすくなる。
【００６８】
また、点灯パターン５によれば、間隔の短い点滅により急速充電のイメージを表すことができる。
【００６９】
（第６点灯パターン）
図３（ｇ）に示す第６点灯パターンは、第３点灯パターンの変形例である。第３点灯パターンの第１点灯状態は、全光点灯から徐々に調光点灯に推移するようにしている。これに対し、第６点灯パターンは、全光点灯時間と調光点灯時間との比率を変えるようにしている。つまり、急速充電時間が経過するのに応じて、全光点灯時間が相対的に長い状態から徐々に全光点灯時間を短くし、一方、調光点灯時間が相対的に短い状態から徐々に調光点灯時間を長くしている。このようにすることによって、第３点灯パターンと同様の効果が得られる。
【００７０】
また、第６点灯パターンによれば、点滅の長さを短くしていくことで、充電の経過が見えるようにすることができる。
【００７１】
（第７点灯パターン）
図３（ｈ）に示す第７点灯パターンは、第６点灯パターンの変形例である。第６点灯パターンの第１点灯状態は、全光点灯時間と調光点灯時間の両方を変更するようにしている。これに対し、第７点灯パターンは、全光点灯時間をほぼ一定としつつ調光点灯時間を徐々に長くするようにしている。このようにすることによって、第６点灯パターンや第３点灯パターンと同様の効果が得られる。
【００７２】
なお、第７点灯パターンの変形例として、第１点灯状態において調光点灯時間をほぼ一定としつつ全光点灯時間を徐々に短くするようにしてもよい。この場合にも上記と同様の効果が得られる。
【００７３】
（第８点灯パターン）
図３（ｉ）に示す第８点灯パターンは、供給電流を短周期のパルス波形で供給して、第１点灯状態と第２点灯状態でそれぞれ高速な点滅を生じさせるパターンである。なお、高速点滅の変わりに、全光点灯と調光点灯とを高速に繰り返す高速明暗としてもよい。このとき、「高速点滅」または「高速明暗」のさせ方において、第１点灯状態と第２点灯状態とで変化するのは、点滅または明暗させるときのパルスＤｕｔｙである。
【００７４】
特に、図３（ｉ）に示す本実施の形態の第８点灯パターンは、第１点灯状態でのパルスＤｕｔｙを、第２点灯状態でのパルスＤｕｔｙよりも、大きくしている。このようにパルスＤｕｔｙを変えることによって、ユーザには明るさが変わっているように見え、また、充電モニタ用発光ダイオードＬａを消灯または調光させることによって消費電力を抑えることができる。なお、パルスＤｕｔｙが大きくなるほどユーザには明るく見える。
【００７５】
第８点灯パターンによれば、高速点滅にすることで調光に必要な回路を簡略化できる。
【００７６】
なお、上記の第１点灯パターンおよび第３〜８点灯パターンでは、第２点灯状態を調光点灯としている。しかしながら、本発明はこれに限られない。上記の第１点灯パターンおよび第３〜８点灯パターンの第２点灯状態を、調光点灯ではなく、第２点灯パターンの第２点灯状態のごとき全光点灯と調光点灯の繰り返し又は全光点灯と消灯の繰り返しとしてもよい。この変形を第４〜７点灯パターンに適用する場合、第１、２点灯状態がともに明暗の切り替わる点灯パターンとなるが、この場合にも、第１、２点灯状態の間で明るさ又は明暗の切り替わり周期等が異なるようにすればよい。
【００７７】
以上説明したように、本実施の形態によれば、急速充電モードと省エネモード（補充電）との間で、能動的に、点検モニタ３００の点灯状態を異ならしめることができる。よって、バッテリの急速充電モードと省エネモードとを、単一の点検モニタ３００で、正確に報知することができる。
【００７８】
また、省エネモードにおける点検モニタ３００の点灯状態を、調光点灯または点滅とすることができる。その結果、点検モニタ３００の充電モニタ用発光Ｌａに流れる電流量を抑えることができ、消費電力を抑えることができる。
【００７９】
実施の形態２．
実施の形態２にかかる点灯装置１００および照明装置１０００は、実施の形態１にかかる装置と同様の構成を備えており、制御回路の動作および急速充電の充電方式が異なるものである。そのため実施の形態１と同様の構成は図示および説明を省略し、実施の形態１と異なる部分について説明する。
【００８０】
図４は、本発明の実施の形態２にかかる、バッテリを充電するときの充電電流と、その充電電流における充電モニタ用発光ダイオードＬａの明るさとの関係を示すタイムチャートである。
【００８１】
図４（ａ）は、図３（ａ）と同様に、急速充電期間Ｔ１における充電電流と、補充電期間Ｔ２における充電電流を示している。図４（ｂ）は第９点灯パターンを示し、図４（ｃ）は第１０点灯パターンを示し、図４（ｄ）は第１１点灯パターンを示す。
【００８２】
制御回路１６０は、図２に示すフローチャートと同様の処理を実行する。しかし、実施の形態２では、図４（ａ）のごとく急速充電の充電電流を変化させる点が、実施の形態１と異なっている。
【００８３】
実施の形態２では、急速充電を行う場合、充電電流を最大値として充電を開始する。その後、急速充電期間Ｔ１間に応じて、徐々に充電電流が少なくなるように、制御回路１６０が充電回路１３０を制御する。時間経過に応じた充電電流の低減は、急速充電終了時、つまり補充電への切替時点での充電電流が、補充電期間Ｔ２の充電電流の大きさとほぼ等しくなるように行われる。
【００８４】
また、制御回路１６０は、急速充電期間Ｔ１の充電電流の変化に応じて、点検モニタ３００の充電モニタ用発光ダイオードＬａの明るさを変化させるようにしている。これは、実施の形態１における第３点灯パターンと同じである。さらに、第９点灯パターンによれば、充電電流の低下と比例して明るさを徐々に低下させるようにしている。
【００８５】
このようにすることによって、実施の形態１の第３点灯パターンのときと同様の効果を得ることができる。また、第９点灯パターンでは明るさをバッテリ４００の充電状態と対応させているので、明るさの情報によってユーザにバッテリ４００の充電状態を報知することもできる。
【００８６】
なお、実施の形態２において、図４（ｃ）、図４（ｄ）に示す変形が可能である。
【００８７】
図４（ｃ）は第１０点灯パターンを示し、これは基本的に実施の形態１における第６点灯パターンと同様のパターンである。第６点灯パターンの第１点灯状態では、全光点灯時間と調光点灯時間との比率を変えるようにしており、全光点灯時間が相対的に長い状態から徐々に全光点灯時間を短くし、一方、調光点灯時間が相対的に短い状態から徐々に調光点灯時間を長くしている。そこで、第１０点灯パターンでは、この徐々に全光点灯時間を短くしたり徐々に調光点灯時間を長くしたりするときに各時間を増減する変化量を、充電電流の低下量と比例させてもよい。
【００８８】
図４（ｄ）は第１１点灯パターンを示し、これは基本的に実施の形態１における第７点灯パターンと同様のパターンである。第７点灯パターンは全光点灯時間をほぼ一定としつつ調光点灯時間を徐々に長くするものであり、その変形例は調光点灯時間をほぼ一定としつつ全光点灯時間を徐々に短くするものである。そこで、第１１点灯パターンでは、この徐々に全光点灯時間を短くしたり徐々に調光点灯時間を長くしたりするときに各時間を増減する変化量を、充電電流の低下量と比例させてもよい。
【００８９】
なお、特開平５−８３８７３号公報においては、バッテリを充電する充電電流に応じて充電表示装置（発光ダイオード）のモニタランプの明るさが意図せずに変化するという現象が、問題点として指摘されている。この点について説明すると、バッテリの充電電流は、バッテリの充電量や劣化度に応じて変化する。つまり、充電方法が同じであってもバッテリ充電電流が状況に応じて異なるので、充電方法が同じであっても充電表示装置のモニタランプの明るさが異なる場合がある。しかし、このような原因で生ずる明るさの相違は、充電方法の種類には対応しない不安定なものである。充電方法を知るためにそのような不安定な明るさを手がかりとしたのでは、充電方法の種類を正確に知ることはできない。
この点、本実施の形態によれば、バッテリ充電中の充電方法の種類を正確に報知することができるという格別の効果がある。
【符号の説明】
【００９０】
ＡＣ  商用電源、ＤＢ  整流回路、Ｌ１  トランス、Ｌａ  充電モニタ用発光ダイオード、Ｌｂ  ランプ異常モニタ用発光ダイオード、Ｌｃ  点検異常モニタ用発光ダイオード、ＰＣ  フォトカプラ、１１  インテリジェントパワーデバイス、１２  電流検出回路、１００  点灯装置、１１０  常用点灯回路、１２０  制御電源生成回路、１３０  充電回路、１４０  非常用点灯回路、１５０  ＯＲ回路、１６０  制御回路、２００  ＬＥＤモジュール、３００  点検モニタ、４００  バッテリ、１０００  照明装置
【図１】
0006380618.tif 000002
【図２】
0006380618.tif 000003
【図３】
0006380618.tif 000004
【図４】
0006380618.tif 000005